(57)【特許請求の範囲】
【請求項１】
予め葺かれている屋根瓦（３）のうち抜き取り対象の抜取屋根瓦（３ａ）とその下に重なる正常屋根瓦（３ｂ）との隙間（Ｄ）に浮かし工具（１）を差し込んで、抜取屋根瓦（３ａ）の固定釘（４）を浮き上がらせる第一工程と、
長手方向の長さが抜取屋根瓦（３ａ）と正常屋根瓦（３ｂ）とで構成される重合長さ（Ｌ）よりも長く且つ鋸刃（１３）の後端部に設けられた延長板（１４）を有する瓦釘の切断工具（２）を用いて、この瓦釘の切断工具（２）の延長板（１４）が隙間（Ｄ）に入るまで、瓦釘の切断工具（２）を抜取屋根瓦（３ａ）の裏面（１９）に沿わせながら隙間（Ｄ）に差し込む第二工程と、
前記鋸刃（１３）と延長板（１４）との合算長さが少なくとも抜取屋根瓦（３ａ）を固定する固定釘（４）に当接する長さとした前記切断工具（２）の鋸刃（１３）を、前記固定釘（４）に当接させた状態で鋸刃（１３）及びの延長板（１４）を押し引きして、抜取屋根瓦（３ａ）の固定釘（４）を切断する第三工程と、
抜取屋根瓦（３ａ）を引き抜き、正常屋根瓦（３ｂ）の上表面に接着剤（２３）を塗布し、新しい屋根瓦（３ｃ）を抜き取りスペースに差し込む第四工程と、を備えていることを特徴とする瓦釘の切断工具を用いた屋根瓦の交換方法。
【請求項２】
瓦釘の切断工具（２）の前記延長板（１４）は、前記鋸刃（１３）の後端部に延設されて把手（１５）に連結されたものであって、当該延長板（１４）は鋸刃（１３）及び把手（１５）に対して着脱自在であることを特徴とする請求項１に記載の瓦釘の切断工具を用いた屋根瓦の交換方法。
【請求項３】
前記第四工程を、
抜取屋根瓦（３ａ）を引き抜き、正常屋根瓦（３ｂ）の固定釘（４）の頭部又は近傍に接着剤（２３）を塗布し、新しい屋根瓦（３ｃ）を抜き取りスペースに差し込むことを特徴とする請求項１又は２記載の瓦釘の切断工具を用いた屋根瓦の交換方法。
【発明の詳細な説明】
【０００１】
【発明の属する技術分野】
本発明は、瓦釘の切断工具を用いた屋根瓦の交換方法。
【０００２】
【従来の技術】
スレート等の屋根瓦によって葺かれた屋根において、一枚又は複数枚の屋根瓦に亀裂が生じたり割れたりした場合には、この破損した屋根瓦だけを抜き取って新しい屋根瓦に葺き替えるということが必要になる。この場合、従来は、実開平２−５５３７に示すようなプレート状のプレート本体に鋸刃を設けた工具の鋸刃を、予め葺かれている屋根瓦のうち抜き取り対象の抜取屋根瓦とその下に重なる正常屋根瓦との隙間に抜き取る屋根瓦の裏面に沿わしながら差し込んで、この鋸刃を押し引きして固定釘を切断した後、抜き取り屋根瓦をその上下の屋根瓦から引き抜くするようにしていた。
【０００３】
【発明が解決しようとする課題】
しかしながら、実開平２−５５３７に示されるような屋根瓦抜き取り工具を使用して、屋根瓦抜き取り工具の鋸刃を押し引きして抜き取り屋根瓦の固定釘を切断する作業では、鋸刃を押し引きするときに、プレート本体から突出している鋸刃全体が抜き取り屋根瓦の下にある正常屋根瓦の上面を通過するので、鋸刃と正常屋根瓦が接触して、正常屋根瓦の化粧面を損傷する恐れがあった。
また、引き抜き屋根瓦と重複していない正常屋根瓦の上面（屋根面を構成している瓦面）に傷が入った場合には、それにより、屋根面の意匠性が損なわれるので、引き抜き屋根瓦の下の正常屋根瓦までも新しい屋根瓦に差し替えする必要があった。
【０００４】
そこで、本発明は、上記問題点に鑑み、長手方向の長さが抜取屋根瓦と正常屋根瓦とで構成される重合長さよりも長い延長板を有する瓦釘の切断工具を用いて
、正常屋根瓦の瓦面を傷付けることなく抜き取り屋根瓦の固定釘を切断し、この抜き取り屋根瓦を抜き取って新しい屋根瓦に交換する、瓦釘の切断工具を用いた屋根瓦を交換する方法を提供することを目的とする。
【０００５】
【課題を解決するための手段】
本発明では、上記の目的を達成するために、次の解決手段を採用した。すなわち、予め葺かれている屋根瓦のうち抜き取り対象の抜取屋根瓦とその下に重なる正常屋根瓦との隙間に浮かし工具を差し込んで、抜取屋根瓦の固定釘を浮き上がらせる第一工程と、長手方向の長さが抜取屋根瓦と正常屋根瓦とで構成される重合長さよりも長く鋸刃の後端部に設けられた延長板を有する瓦釘の切断工具を用いて、この瓦釘の切断工具の延長板が隙間に入るまで、瓦釘の切断工具を抜取屋根瓦の裏面に沿わせながら隙間に差し込む第二工程と、前記鋸刃と延長板との合算長さが少なくとも抜取屋根瓦を固定する固定釘に当接する長さとした切断工具の鋸刃を、前記固定釘に当接させた状態で鋸刃及びの延長板を押し引きして、抜取屋根瓦の固定釘を切断する第三工程と、前記抜取屋根瓦の固定釘に鋸刃を当接させた状態で鋸刃及びの延長板を押し引きして、抜取屋根瓦の固定釘を切断する第三工程と、抜取屋根瓦を引き抜き、正常屋根瓦の上表面に接着剤を塗布し、新しい屋根瓦を抜き取りスペースに差し込む第四工程と、を備えていることを特徴としている。
【０００６】
したがって、瓦釘の切断工具を押し引きして抜取屋根瓦の固定釘を切断する際に、延長板の全部が隙間から外方突出しないようにしているので、これにより、正常屋根瓦の上表面を瓦釘の切断工具の延長板が通過するので瓦釘の切断工具の鋸刃と正常屋根瓦との接触が少なくなる。これにより、固定釘の切断作業において、正常屋根瓦を傷付けることを少なくすることができる。
さらに、正常屋根瓦の上面（屋根面を構成している瓦面）を鋸刃が通過することがないので、正常屋根瓦の上面を傷付けることがない。
【０００７】
また、正常屋根瓦の固定釘の頭部又は近傍に接着剤を塗布し、新しい屋根瓦を抜き取りスペースに差し込むようにすれば、新しい屋根瓦に対して均等に、接着剤を塗布することができるので、新しい屋根瓦の接着強度を安定させることができる。
【０００８】
【発明の実施の形態】
以下、本発明の実施の形態を図に基づいて説明する。
本発明に係る屋根瓦の交換方法は、図７に示す浮かし工具１と、図８に示す瓦釘の切断工具２とを用いる。
まず、屋根瓦３の交換に用いられる工具について説明する。
浮かし工具１は、予め葺かれている屋根瓦３のうち抜き取り対象の抜取屋根瓦３ａとその下に重なる正常屋根瓦３ｂとの隙間Ｄに差し込んで、抜取屋根瓦３ａの固定釘４を浮き上がらせるものである。そのため、この浮かし工具１は、隙間Ｄに差し込んで固定釘４を浮き上がらせても、変形しない程度の強度を有しており、樹脂又は金属により形成されている。
【０００９】
図７に示すように、浮かし工具１は、予め葺かれている屋根瓦３のうち抜き取り対象の抜取屋根瓦３ａとその下に重なる正常屋根瓦３ｂとの隙間Ｄに差し込み可能な太さで、且つ、屋根瓦３の屋根流れ方向の長さよりも長い支持杵１０と、この支持杵１０の先端部に設けられたへら先１１と、支持杵１０の後端部に設けられた把手１２とを有しており、全体的に一体に形成されている。また、へら先１１は、隙間Ｄに差し込み可能な太さであって、へら先１１の先端部は肉厚が薄く形成されている。
【００１０】
図８に示すように、瓦釘の切断工具２は、予め葺かれている屋根瓦３のうち抜き取り対象の抜取屋根瓦３ａとその下に重なる正常屋根瓦３ｂとの隙間Ｄに差し込んで、抜取屋根瓦３ａの固定釘４を切断するものであり、固定釘４を切断する切歯２０を有した鋸刃１３と、この鋸刃１３の後端部に延設された延長板１４と、この延長板１４の後端部に延設された把手１５とを有しており、全体的に一体化されている。
鋸刃１３は、通常の鋸と同様に金属系の平板で形成されて、抜取屋根瓦３ａとその下に重なる正常屋根瓦３ｂとの隙間Ｄに差し込み可能な太さである。
【００１１】
延長板１４は、金属系の平板などにより形成されており、抜取屋根瓦３ａとその下に重なる正常屋根瓦３ｂとの隙間Ｄに差し込み可能な太さである。
この延長板の長手方向の長さは、図３にしめすように、抜取屋根瓦３ａと正常屋根瓦３ｂとで構成される重合長さＬよりも長く設定されているのが好ましい。
このような瓦釘の切断工具２は、図９に示すように、鋸刃１３と延長板１４との間に鋸刃装着金具１７を設け、鋸刃１３と延長板１４とが脱着できるようなものであってもよいし、図１０に示すように、延長板１４と把手１５との間に延長板装着金具１８を設け、延長板１４と把手１５とが脱着できるものであってもよい。また、図１１に示すように、瓦釘の切断工具２の把手１５と延長板１４との間が、厚み方向に屈曲したものであってもよい。
【００１２】
次に、上記に説明した浮かし工具１と、瓦釘の切断工具２とを用いて本発明にかかる屋根瓦３の交換方法について説明する。
まず、図３に示すように、屋根瓦３は軒側（紙面右側）から棟側（紙面左側）葺かれており、正常屋根瓦３ｂと抜き取り対象となる抜取屋根瓦３ａとは重合している。
図１に示すように、屋根瓦３によって葺かれた屋根において、抜き取り対象となる抜取屋根瓦３ａを抜き取る場合には、まず、抜取屋根瓦３ａとその下に重なる正常屋根瓦３ｂとの隙間Ｄに浮かし工具１を差し込み、その先端のへら先１１を抜取屋根瓦３ａの固定釘４へ当接させる。
【００１３】
そして、この浮かし工具１の把手８を手又はハンマー等で軽く突き上げて（図１のＸ矢印方向）、固定釘４を少しだけ浮き上げた状態にする。これを抜取屋根瓦３ａに打ち込まれているすべての固定釘４に対して行う。
次に、この浮かし工具１を隙間Ｄから引き出し後、瓦釘の切断工具２を、延長板１４が抜取屋根瓦３ａと正常屋根瓦３ｂとで構成される隙間Ｄに入るまで、抜取屋根瓦３ａの裏面１９に沿わせながら隙間に差し込む、そして、瓦釘の切断工具２の延長板１４の全部が隙間Ｄから外方突出しないように、鋸刃１３の切歯２０を抜取屋根瓦３ａの固定釘４に当接させながら、瓦釘の切断工具２を押し引きしながら、この固定釘４を切断する。
【００１４】
このとき、図２〜５に示すように、瓦釘の切断工具２の延長板１４が抜取屋根瓦３ａと正常屋根瓦３ｂとの隙間Ｄに介在されているので、この瓦釘の切断工具２の延長板１４の大部分が正常屋根瓦３ｂの上面を通過することとなり、鋸刃１３と正常屋根瓦３ｂが接触することが少なくなる。
これを抜取屋根瓦３ａに打ち込まれているすべての固定釘４に対して行い、固定釘４を切断する。
次に、抜取屋根瓦３ａを屋根流れ方向に引き抜く、そして、正常屋根瓦３ｂの上表面２２に接着剤２３を塗布する、このとき、正常屋根瓦３ｂの固定釘４の頭部又は近傍に接着剤２３を塗布すると、均等に接着剤２３を塗布することができ、新しい屋根瓦３ｃの接着が安定するのでなお良い。
【００１５】
そして、新しい屋根瓦３ｃを抜き取りスペースに差し込み、新しい屋根瓦３ｃと正常屋根瓦３ｂとを接着固定する。このとき、浮かし工具１などを用いて、新しい屋根瓦３ｃを滑らせるようにすると作業がやりやすくなる。
以上のことより、図１２に示すように、屋根瓦３の交換をすることができる。
本発明は上記実施の形態以外にも、変更が可能である。
すなわち、浮かし工具１は、予め葺かれている屋根瓦３のうち抜き取り対象の抜取屋根瓦３ａとその下に重なる正常屋根瓦３ｂとの隙間Ｄに差し込んで、抜取屋根瓦３ａの固定釘４を浮き上がらせるものであるので、そのような機能を有するものであれば、上記記載のような浮かし工具１に限定されない。
【００１６】
また、瓦釘の切断工具２は、厚み方向に撓むものであってもよい、このとき、図６に示すように、瓦釘の切断工具２を抜取屋根瓦３ａの裏面１９に沿わせながら、この隙間Ｄに差し込み、瓦釘の切断工具２の鋸刃１３を抜取屋根瓦３ａの固定釘４に当接させ、上記記載のように固定釘４を切断する。
【００１７】
【発明の効果】
本発明によれば、上記記載から明らかなように、正常な屋根瓦を傷付けることなく、抜き取り屋根瓦の固定釘を切断して、この抜き取り屋根瓦を新しい屋根瓦に交換することができる。
【図面の簡単な説明】
【図１】  浮かし工具を抜取屋根瓦とその下に重なる正常屋根瓦との隙間に差し込み、浮かし工具を固定釘に当接した様子を示した正面図である。
【図２】  瓦釘の切断工具を抜取屋根瓦とその下に重なる正常屋根瓦との隙間に差し込み、鋸刃を固定釘に当接した様子を示した正面図である。
【図３】  瓦釘の切断工具を抜取屋根瓦とその下に重なる正常屋根瓦との隙間に差し込み、鋸刃を固定釘に当接した様子を示した側面図である。
【図４】  瓦釘の切断工具を屋根流れ方向に引いた様子を示した正面図である。
【図５】  瓦釘の切断工具を屋根流れ方向に引いた様子を示した側面図である。
【図６】  厚み方向に可撓性を有する瓦釘の切断工具を抜取屋根瓦とその下に重なる正常屋根瓦との隙間に差し込んだ様子を示した側面図である。
【図７】  浮かし工具の斜視図である。
【図８】  瓦釘の切断工具の斜視図である。
【図９】  他の瓦釘の切断工具のａ）正面、ｂ）側面図である。
【図１０】  他の瓦釘の切断工具のａ）正面、ｂ）側面図である。
【図１１】  他の瓦釘の切断工具の側面図である。
【図１２】  屋根瓦交換後の屋根様子の正面図である。
【符号の説明】
１    浮かし工具
２    瓦釘の切断工具
３    屋根瓦
３ａ  抜取屋根瓦
３ｂ  正常屋根瓦
４    固定釘
１３  鋸刃
１９  裏面
２３  接着剤
Ｄ    隙間
Ｌ    抜取屋根瓦と正常屋根瓦とで構成される重合長さ
【図１】
0004009486.tif 000002
【図２】
0004009486.tif 000003
【図３】
0004009486.tif 000004
【図４】
0004009486.tif 000005
【図５】
0004009486.tif 000006
【図６】
0004009486.tif 000007
【図７】
0004009486.tif 000008
【図８】
0004009486.tif 000009
【図９】
0004009486.tif 000010
【図１０】
0004009486.tif 000011
【図１１】
0004009486.tif 000012
【図１２】
0004009486.tif 000013